(57)【要約】      （修正有）【課題】送風騒音の更なる低減を達成する空気調和装置を提供する。【解決手段】本体ケース内に設けた空気調和手段である空気清浄部４と、吸気口から吸い込んだ本体ケース外の空気を空気清浄部４を介して送風口２へ送風する送風手段５とを備えている。送風手段５は、吐出口１４とファン部１２との間にケーシング風路部１８を備え、ケーシング風路部１８は本体ケースにおける背面側から前面側へ傾斜している。送風口２には、本体ケースにおける左右方向へ延びると共に鉛直方向へ延びる第１の風向板１６と複数の第２の風向板１７とを設けている。第１の風向板１６は、送風口２の中央より本体ケースにおける背面側に配置され、複数の第２の風向板１７は、第１の風向板１６より背面側および前面側に設け、第１の風向板１６における下端部１９は、第２の風向板における下端部２０より下方に配置される。【選択図】図２
2017058025.tif 000002
【特許請求の範囲】
【請求項１】
吸気口と送風口を有する本体ケースと、前記本体ケース内に設けた空気調和手段と、前記吸気口から吸い込んだ本体ケース外の空気を前記空気調和手段を介して前記送風口へ送風する送風手段とを備え、前記送風手段は、スクロール形状のケーシング部と、前記ケーシング部に固定されたモーター部と、前記モーター部によって回転するファン部とからなり、前記ケーシング部は、側面には吸込口を備え、上面には吐出口を設け、前記吐出口と前記ファン部との間にケーシング風路部を備え、前記ケーシング風路部は前記本体ケースにおける背面側から前面側へ傾斜し、前記送風口は、上方に開口すると共に前記本体ケースの天面に設け、前記送風口には、前記本体ケースにおける左右方向へ延びると共に鉛直方向へ延びる第１の風向板と複数の第２の風向板とを設け、前記第１の風向板は、前記送風口の中央より前記本体ケースにおける背面側に配置され、複数の前記第２の風向板は、前記第１の風向板より背面側および前面側に設け、前記第１の風向板における下端部は、前記第２の風向板における下端部より下方に配置されることを特徴とする空気調和装置。
【請求項２】
前記ケーシング風路部の前記本体ケースにおける前面側の風下側は、前記ケーシング風路部の前記本体ケースにおける背面側より傾斜角度が大きいことを特徴とする請求項１に記載の空気調和装置。
【発明の詳細な説明】
【技術分野】
【０００１】
本発明は、一般家庭や事務所等で使用される空気調和装置に関するものである。
【背景技術】
【０００２】
従来、この種の空気調和装置は、吸込口と送風口とを有する本体ケースと、前記本体ケース内に設けた空気調和手段と、前記吸込口から吸い込まれた空気を、送風路により、前記空気調和手段を介して前記送風口から吹き出す送風手段から構成されていた。
【先行技術文献】
【特許文献】
【０００３】
【特許文献１】特開２０１５−０２１６４０号公報
【発明の概要】
【発明が解決しようとする課題】
【０００４】
上記従来例の課題は、送風騒音の更なる低減である。
【０００５】
従来は、吸込口と送風口とを有する本体ケースと、本体ケース内に設けた空気調和手段と、吸込口から吸い込まれた空気を、送風路により、空気調和手段を介して送風口から吹き出す送風手段から構成されている。
【０００６】
近年、上記の空気調和機を搭載した製品は、ダウンサイズ化する一方、送風量の大容量化が求められており、送風口から吹出される空気の風速が速くなり、送風騒音は大きくなる課題がある。この送風騒音のレベルを低減するために、羽根部の径を大きくする方法、吹出口を大きくする方法および羽根部と送風口の距離を遠ざける方法もあるが、いずれも製品筐体が大きくなり、困難な場合があった。
【０００７】
そこで本発明は、空気調和装置の送風騒音の更なる低減を目的とするものである。
【課題を解決するための手段】
【０００８】
そして、この目的を達成するために、本発明は、吸気口と送風口を有する本体ケースと、前記本体ケース内に設けた空気調和手段と、前記吸気口から吸い込んだ本体ケース外の空気を前記空気調和手段を介して前記送風口へ送風する送風手段とを備え、前記送風手段は、スクロール形状のケーシング部と、前記ケーシング部に固定されたモーター部と、前記モーター部によって回転するファン部とからなり、前記ケーシング部は、側面には吸込口を備え、上面には吐出口を設け、前記吐出口と前記ファン部との間にケーシング風路部を備え、前記ケーシング風路部は前記本体ケースにおける背面側から前面側へ傾斜し、前記送風口は、上方に開口すると共に前記本体ケースの天面に設け、前記送風口には、
前記本体ケースにおける左右方向へ延びると共に鉛直方向へ延びる第１の風向板と複数の第２の風向板とを設け、前記第１の風向板は、前記送風口の中央より前記本体ケースにおける背面側に配置され、複数の前記第２の風向板は、前記第１の風向板より背面側および前面側に設け、前記第１の風向板における下端部は、前記第２の風向板における下端部より下方に配置されることを特徴としたものである。
【０００９】
これにより、所期の目的を達成するものである。
【発明の効果】
【００１０】
以上のように本発明は、吸気口と送風口を有する本体ケースと、前記本体ケース内に設けた空気調和手段と、前記吸気口から吸い込んだ本体ケース外の空気を前記空気調和手段を介して前記送風口へ送風する送風手段とを備え、前記送風手段は、スクロール形状のケーシング部と、前記ケーシング部に固定されたモーター部と、前記モーター部によって回転するファン部とからなり、前記ケーシング部は、側面には吸込口を備え、上面には吐出口を設け、前記吐出口と前記ファン部との間にケーシング風路部を備え、前記ケーシング風路部は前記本体ケースにおける背面側から前面側へ傾斜し、前記送風口は、上方に開口すると共に前記本体ケースの天面に設け、前記送風口には、前記本体ケースにおける左右方向へ延びると共に鉛直方向へ延びる第１の風向板と複数の第２の風向板とを設け、前記第１の風向板は、前記送風口の中央より前記本体ケースにおける背面側に配置され、複数の前記第２の風向板は、前記第１の風向板より背面側および前面側に設け、前記第１の風向板における下端部は、前記第２の風向板における下端部より下方に配置されることを特徴とする空気調和装置である。
【００１１】
これにより、送風口より排出される空気は第１の風向板により分断され、より送風口の全体から排出させることができる。結果として、風量を低下することがなく送風口近傍の風速を抑えることができ、送風騒音の低減ができる。
【図面の簡単な説明】
【００１２】
【図１】本発明の実施の形態１の空気調和装置の斜視図
【図２】同空気清浄装置の断面図
【発明を実施するための形態】
【００１３】
以下、本発明の実施の形態について図面を参照しながら説明する。
【００１４】
（実施の形態１）
図１および図２に示すように、本実施形態の空気調和装置は、吸気口１と送風口２を有する本体ケース３と、この本体ケース３内に設けられた空気調和手段である空気清浄部４と、送風手段５と、制御手段６と、操作部７を備えている。
【００１５】
本体ケース３は、縦長四角箱形状で、本体ケース３の前面の下部に吸気口１を備え、本体ケース３の天面の背面側に横長四角形状の送風口２を設けている。この送風口２には、開閉自在に設けられた第１の風向調整手段８と第２の風向調整手段９とを備えている。
【００１６】
空気清浄部４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００１７】
送風手段５は、空気清浄部４と本体ケース３の送風口２との間の風路に位置し、ケーシング部１０と、モーター部１１と、ファン部１２とから形成している。ケーシング部１０は、スクロール形状で、側面に円形状の吸込口１３を備え、上面に横長四角形状の吐出口１４を設け、この吐出口１４とファン部１２との間にケーシング風路部１８を備えている。このケーシング部１０には、モーター部１１が固定されている。このモーター部１１の水平方向に伸びた軸部１５には、遠心送風タイプのファン部１２が固定されている。
【００１８】
モーター部１１によってファン部１２が回転すると、本体ケース３外の空気が、吸気口１から本体ケース３内に吸気され、空気清浄部４、送風手段５とを順次介して送風口２へと送風されるものである。
【００１９】
操作部７は、本体ケース３の天面の送風口２より前面側に位置し、この操作部７の下方には、制御手段６を備えている。操作部７の操作によって、制御手段６は送風手段５の風量、第１の風向調整手段８と第２の風向調整手段９の送風角度とを制御する。
【００２０】
本実施形態における特徴は、ケーシング部１０と、送風口２に設けた第１の風向板１６と、複数の第２の風向板１７である。
【００２１】
ケーシング部１０は、吐出口１４とファン部１２との間にケーシング風路部１８を備えている。ケーシング風路部１８は、本体ケース３における背面側から前面側へ傾斜している。
【００２２】
送風口２には、本体ケース３における左右方向へ延びると共に鉛直方向へ延びる第１の風向板１６と、本体ケース３における左右方向へ延びると共に鉛直方向へ延びる複数の第２の風向板１７とを備えている。
【００２３】
第１の風向板１６は、送風口２の本体ケース３前後方向における中央より本体ケース３における背面側に配置されている。複数の第２の風向板１７は、第１の風向板１６より背面側と前面側とに設けている。第１の風向板１６における下端部１９の位置は、第２の風向板１７における下端部２０の位置より下方に配置されている。
【００２４】
これにより、ケーシング風路部１８は、本体ケース３における背面側から前面側へ傾斜しているので、ケーシング風路部１８の本体ケース３における背面側であるケーシング背面風路部１８Ａに沿って流れる風量は大きいが、本体ケース３における背面側から前面側へ傾斜して流れる。
【００２５】
この傾斜した空気の流れは、第１の風向板１６における下端部１９に当たり、第１の風向板１６より背面側に流れる空気Ａと、第１の風向板１６より前面側に流れる空気Ｂとに分かれる。ここで、第１の風向板１６は、送風口２の本体ケース３前後方向における中央より本体ケース３における背面側に配置されているので、空気Ａに比べ空気Ｂへ流れ易くなると考えられる。これにより、第１の風向板１６が無い場合に比べて、送風口２へより均一に空気が流れ易くなる。結果として、風量を低下することがなく送風口２近傍の風速を抑えることができ、送風騒音の低減ができる。
【００２６】
また、ケーシング風路部１８の本体ケースにおける前面側の風下側は、ケーシング風路部１８の本体ケースにおける背面側より傾斜角度が大きい。ケーシング風路部１８の本体ケースにおける前面側であるケーシング前面風路部１８Ｂの風下側は、ケーシング背面風路部１８Ａより、本体ケース３における背面側から前面側へより大きく傾斜している。これにより、更に空気Ａに比べ空気Ｂへ流れ易くなると考えられる。
【産業上の利用可能性】
【００２７】
以上のように本発明は、家庭用や事務用などの空気調和装置である空気清浄装置、加湿装置、除湿装置等としての活用が期待されるものである。
【符号の説明】
【００２８】
１      吸気口
２      送風口
３      本体ケース
４      空気清浄部
５      送風手段
６      制御手段
７      操作部
８      第１の風向調整手段
９      第２の風向調整手段
１０      ケーシング部
１１      モーター部
１２      ファン部
１３      吸込口
１４      吐出口
１５      軸部
１６      第１の風向板
１７      第２の風向板
１８      ケーシング風路部
１８Ａ    ケーシング背面風路部
１８Ｂ    ケーシング前面風路部
１９      下端部
２０      下端部
【図１】
2017058025.tif 000003
【図２】
2017058025.tif 000004